(57)【要約】【課題】取扱が容易な電球型蛍光ランプの包装形態を提供する。【解決手段】本発明に係る電球型蛍光ランプの包装形態９００は、開口部４２０を有するとともに、開口縁部４３０に周方向の紐挿通路１４０が形成され、その内部に電球型蛍光ランプ８００が収容される巾着袋１１０と、前記紐挿通路１４０に挿通されるとともに、その両端部１３１，１３２が前記紐挿通路１４０の脇穴４３１から出ている紐１３０と、を有する。前記紐挿通路１４０の脇穴４３１から出ている紐１３０の両端部１３１，１３２どうしが結ばれて纏め部１３３を形成している。【選択図】図１
2010042819.tif 000002
【特許請求の範囲】
【請求項１】
開口部を有するとともに、開口縁部に周方向の紐挿通路が形成され、その内部に電球型蛍光ランプが収容される巾着袋と、
前記紐挿通路に挿通されるとともに、その両端部が前記紐挿通路の脇穴から出ている紐と、を有する、
電球型蛍光ランプの包装形態。
【請求項２】
電球型蛍光ランプのガラスグローブを載置する略円形の載置開口部を有する載置体を、前記巾着袋の底部に有する、
ことを特徴とする請求項１記載の電球型蛍光ランプの包装形態。
【請求項３】
前記紐は２本であり、前記紐挿通路は前記脇穴を少なくとも２つ有し、
前記２本の紐を前記脇穴から前記紐挿通路にそれぞれＵ字状に挿通し、
各紐の両端部を前記脇穴から露出した部分で結び合わせ、前記露出した部分を相反する方向へ引っ張ることにより、前記巾着袋の開口部を引き絞るようになっている、
ことを特徴とする請求項１又は２記載の電球型蛍光ランプの包装形態。
【請求項４】
前記巾着袋は、気泡緩衝材にて形成され、その気泡部が内側に位置するように袋体が形成されている、
ことを特徴とする請求項１乃至３の何れか１項に記載の電球型蛍光ランプの包装形態。
【請求項５】
前記巾着袋は、プラスチックフィルム、紙体、若しくはこれらの複合材料である、
ことを特徴とする請求項１乃至３の何れか１項に記載の電球型蛍光ランプの包装形態。
【請求項６】
前記巾着袋内に収容される電球型蛍光ランプは、Ａ形、Ｇ形、Ｄ形、Ｔ形、若しくは、レフ形の何れかである、
ことを特徴とする請求項１乃至５の何れか１項に記載の電球型蛍光ランプの包装形態。
【請求項７】
前記紐挿通路の脇穴から出ている紐の両端部どうしが結ばれて纏め部を形成している、
ことを特徴とする請求項１記載の電球型蛍光ランプの包装形態。
【発明の詳細な説明】
【技術分野】
【０００１】
本発明は、電球型蛍光ランプの包装形態に関する。
【背景技術】
【０００２】
白熱電球は数々の利点を有するものの、発光効率が低く、また寿命が短い等の欠点を有する。
【０００３】
そこで、近年、特許文献１や特許文献２に記載されているように、水銀を使用している一般形の蛍光ランプを発光管として使用し、電子点灯回路を内蔵させ、エジソン口金などの口金を備え、今までの電球が使用されている照明器具にそのまま置き換え使用できる電球型蛍光ランプが提案されている。
【０００４】
この電球型蛍光ランプの包装形態としては、例えば、収納される蛍光ランプの上下面に発泡スチロールのパッキングを介在させた箱形の段ボール等がある。
【０００５】
しかし、このような梱包形態では、持ち運びするのに不便であり、さらには外側から中身を予想して認識することも困難であり、取扱上において種々問題がある。
【特許文献１】実開昭５８−１７３１６３号
【特許文献２】特開２００４−１０３３１５号
【発明の開示】
【発明が解決しようとする課題】
【０００６】
本発明は上述の問題に鑑みてなされたものであり、持ち運びするのに便利であり、外側から中身の予想をし得る電球型蛍光ランプの包装形態を提供することを目的とする。また、取扱いが容易な電球型蛍光ランプの包装形態を提供することを目的とする。
【課題を解決するための手段】
【０００７】
上記目的を達成するため、この発明の電球型蛍光ランプの包装形態は、
開口部を有するとともに、開口縁部に周方向の紐挿通路が形成され、その内部に電球型蛍光ランプが収容される巾着袋と、
前記紐挿通路に挿通されるとともに、その両端部が前記紐挿通路の脇穴から出ている紐と、を有する、ことを特徴とする。
【発明の効果】
【０００８】
本発明に係る電球型蛍光ランプの包装形態は、取扱いが容易である。
【発明を実施するための最良の形態】
【０００９】
（実施形態１）
以下、本実施形態に係る電球型蛍光ランプの包装形態９００を、図面を参照して説明するが、これらの実施形態は本発明の範囲を限定するものではない。
【００１０】
包装形態９００は、図１に示されるように、巾着袋１１０と、紐１３０と、を有する。
【００１１】
巾着袋１１０は、開口部４２０を有する。矢印に示されるように、開口部４２０を介して、巾着袋１１０の内部に電球型蛍光ランプ８００が収容される。電球型蛍光ランプ８００の型式は例えばＡ形である。
【００１２】
電球型蛍光ランプ８００は、白熱電球用ソケットに直接装着して使用できる蛍光灯である。即ち、一般の蛍光灯器具同様のインバータ点灯回路と小型蛍光灯を一体化し、白熱電球用口金を備えて白熱電球器具で使用できる形状にしたものである。
【００１３】
図１に示されるように、巾着袋１１０の開口縁部４３０には、周方向の紐挿通路１４０が形成される。紐挿通路１４０には、脇穴４３１が設けられる。
【００１４】
紐１３０が紐挿通路１４０に挿通されている。紐１３０の両端部１３１，１３２は紐挿通路１４０の脇穴４３１から出ている。両端部１３１，１３２どうしは結ばれて纏め部１３３を形成する。
【００１５】
巾着袋１１０は、例えば、プラスチックフィルム、紙体、若しくはこれらの複合材料等にて形成される。プラスチックフィルムとしては、例えばポリエチレンやポリプロピレン等の強度にすぐれる高分子フィルムを使用することができる。
【００１６】
巾着袋１１０を形成する材質は透明のもの、半透明のもの、若しくは不透明のもののいずれも使用される。
【００１７】
巾着袋１１０内に電球型蛍光ランプ８００を収納した後は、図２に示されるように、脇穴４３１から出ている紐１３０の両端部１３１，１３２を、それぞれ矢印に示されるように反対方向に引っ張る。
【００１８】
なお、電球型蛍光ランプ８００は巾着袋１１０内に収納されているものであるが、理解促進のために実線にて示される。
【００１９】
これにより、開口縁部４３０が引き絞られて、開口部４２０の開口面積が小さくなり、巾着袋１１０内に収納された電球型蛍光ランプ８００が開口部４２０から飛び出すことがなくなる。
【００２０】
このような状態で収納した電球型蛍光ランプ８００を持ち運びする場合は、例えば纏め部１３３に指を引っかける等により、ぶら下げて持ち運びすることができる。そのため包装した電球型蛍光ランプ８００の持ち運びが便利である。
【００２１】
さらには、巾着袋１１０の袋体が電球型蛍光ランプ８００に近接する程度まで、紐１３０の両端部１３１，１３２を引き絞ることにより、巾着袋１１０の袋体の外観は収納されている電球型蛍光ランプ８００の外観に近似する。そのため、包装形態９００の外側から中身の予想をし得ることになり、見栄えも良く、消費者の購買意欲も射倖する。
【００２２】
（第２実施形態）
本実施形態に係る電球型蛍光ランプ８００の包装形態９００は、図３に示されるように、第１実施形態と異なり、載置体３００が巾着袋１１０の底部に設けられている。
【００２３】
載置体３００は例えば厚紙等により形成される板状体であり、略円形の載置開口部３１０がその中央部に設けられている。載置開口部３１０には電球型蛍光ランプ８００のガラスグローブが載置される。
【００２４】
巾着袋１１０内の載置開口部３１０に電球型蛍光ランプ８００のガラスグローブを載置した後は、図４に示されるように、紐１３０の両端部１３１，１３２を、それぞれ矢印に示されるように反対方向に引っ張る。これにより、電球型蛍光ランプ８００が開口部４２０から飛び出すことがなくなる。
【００２５】
また、載置体３００が設けられているから、収納した電球型蛍光ランプ８００が巾着袋１１０内で揺れにくい。また、収納した電球型蛍光ランプ８００を床面等に置いたとしても転がりにくいので、安定して床面等に置くことができる。
【００２６】
（第３実施形態）
本実施形態に係る電球型蛍光ランプ８００の包装形態９００は、図５に示されるように、第１及び第２実施形態と紐１３０の取付構造が異なる。
【００２７】
開口縁部４３０に周方向に形成される紐挿通路１４０には、それぞれ略対向する位置に脇穴４３１，４３２が設けられる。
【００２８】
紐１３０は２本使用され、それらの紐１３０は脇穴４３１，４３２から紐挿通路１４０にそれぞれＵ字状に挿通される。
【００２９】
各紐１３０の両端部１３４，１３５は、脇穴４３１，４３２から露出した部分でそれぞれ結び合わされて纏め部１３６，１３７を形成する。
【００３０】
纏め部１３６，１３７を相反する方向へ引っ張ることにより、巾着袋１１０の開口部４２０が引き絞られる。
【００３１】
本実施形態によればより少量の力にて開口部４２０を引き絞ることができ、電球型蛍光ランプ８００の包装形態９００をより容易に取扱うことができる。
【００３２】
（その他の実施形態）
上述の実施形態では、巾着袋１１０に収納される電球型蛍光ランプ８００はＡ形であったが、このような実施形態に限定されることはなく、電球型蛍光ランプ８００は、ボウル形（Ｇ形）、スパイラル形（Ｄ形）、Ｔ形、レフ形等の様々な電球型蛍光ランプ８００を収納することができる。
【００３３】
巾着袋１１０は、気泡緩衝材にて形成され、その気泡部が巾着袋１１０の内側に位置するように袋体が形成されることも可能である。このように構成することで巾着袋１１０内に収納される電球型蛍光ランプ８００のガラスグローブを外部からの衝撃から保護することができる。
【図面の簡単な説明】
【００３４】
【図１】実施形態１に係る電球型蛍光ランプの包装形態を説明する図である。
【図２】実施形態１に係る電球型蛍光ランプの包装形態であって、電球型蛍光ランプを巾着袋に収納したところを説明する図である。
【図３】実施形態２に係る電球型蛍光ランプの包装形態を説明する図であって、巾着袋の底部に載置体が設けられている図である。
【図４】実施形態２に係る電球型蛍光ランプの包装形態であって、電球型蛍光ランプを載置体に載置したところを説明する図である。
【図５】実施形態３に係る電球型蛍光ランプの包装形態であって、２本の紐を使用する様子を説明する図である。
【符号の説明】
【００３５】
１１０    巾着袋
１３０    紐
１４０    紐挿通路
３００    載置体
３１０    載置開口部
４２０    開口部
４３０    開口縁部
４３１    脇穴
８００    電球型蛍光ランプ
９００    包装形態
【図１】
2010042819.tif 000003
【図２】
2010042819.tif 000004
【図３】
2010042819.tif 000005
【図４】
2010042819.tif 000006
【図５】
2010042819.tif 000007